(57)【要約】【課題】冷却材中の異物を捕捉する捕捉手段を溶接を用いることなく組み付け可能であり、且つチャンネルボックスの装着性を向上することができる下部タイプレート及びこれを備えた燃料集合体を提供する。【解決手段】原子炉用燃料集合体１の下部タイプレート６において、上端に開口部１８を有するタイプレート本体１０と、開口部１８に嵌合して設けられ、冷却材中の異物を捕捉するフィルタ１１と、開口部１８に嵌合しつつフィルタ１１の上部に設けられ、燃料棒２の下端を支持する支持格子１５と、タイプレート本体１０に設けたねじ穴２１ａに螺合可能なねじ付下部端栓２８を有し、このねじ付下部端栓２８がねじ穴２１ａに螺合することにより、フィルタ１１を支持格子１５とタイプレート本体１０とで挟み込んで固定する結合燃料棒２’とを備える。【選択図】  図３
2006184052.tif 000002
【特許請求の範囲】
【請求項１】
原子炉用燃料集合体の下部タイプレートにおいて、
上端に開口部を有するタイプレート本体と、
前記開口部に嵌合して設けられ、冷却材中の異物を捕捉する捕捉手段と、
前記開口部に嵌合しつつ前記捕捉手段の上部に設けられ、燃料棒の下端を支持する支持部材と、
前記タイプレート本体に設けたねじ穴に螺合可能なねじ部を有し、このねじ部が前記ねじ穴に螺合することにより、前記補足手段を前記支持部材と前記タイプレート本体とで挟み込んで固定する固定手段とを備えることを特徴とする下部タイプレート。
【請求項２】
請求項１記載の下部タイプレートにおいて、前記タイプレート本体は前記ねじ穴を有するボスを複数備えており、これら複数のボスのうち少なくとも１つのボスはその他のボスと異なる大きさを有し、且つ、前記支持部材は前記異なる大きさを有するボスと嵌合可能な第１の凹部を有することを特徴とする下部タイプレート。
【請求項３】
請求項１記載の下部タイプレートにおいて、前記開口部に突起を設けると共に、前記支持部材に前記突起と嵌合可能な第２の凹部を設けたことを特徴とする下部タイプレート。
【請求項４】
請求項１乃至３のいずれか１項に記載の下部タイプレートにおいて、前記捕捉手段は単一のフィルタ又は積層した複数のフィルタ層であることを特徴とする下部タイプレート。
【請求項５】
請求項１乃至４のいずれか１項に記載の下部タイプレートを備えたことを特徴とする燃料集合体。
【発明の詳細な説明】
【技術分野】
【０００１】
本発明は、原子炉の炉心において使用される燃料集合体及びこの燃料集合体を支持するための下部タイプレートに係わり、特に燃料集合体の内部に異物が混入するのを防止する手段を備えた下部タイプレート及びこれを備えた燃料集合体に関する。
【背景技術】
【０００２】
一般に、沸騰水型原子炉等の炉心に用いられる燃料集合体は、内部に多数の核燃料ペレットが装填され密封された複数の燃料棒と、内部を中性子減速材であり且つ冷却材でもある軽水（以下、冷却材）が流れる構造の１本又は複数の水ロッドと、これら燃料棒及び水ロッドが正方格子状配列となるように所定の間隔を保って束ねる複数のスペーサと、燃料棒及び水ロッドの上・下端をそれぞれ支持する上・下部タイプレートと、これらの外側を覆う角筒状のチャンネルボックスとを備えている。このように構成される燃料集合体に対し、冷却材は、下部タイプレートの下端に設けられた冷却材入口から流入し、燃料棒の下端を支持する支持部材を経由して燃料集合体内部に導入され、燃料棒の周囲及び水ロッドの内部を流れる。このとき、蒸気が発生し、水・蒸気の混合物が上部タイプレートを経由して燃料集合体の上方に流出するようになっている。
【０００３】
ここで、原子力プラントの建設時や補修時等に、万一、工事用資材の金属片等の異物が誤って冷却材循環系に混入していた場合には、循環する冷却材の流れに乗って移動することが考えられる。このとき、その異物が燃料集合体の下部タイプレートを通過できない程度の大きさであれば下部タイプレートで堰き止められて燃料集合体に流入することはないが、その異物が下部タイプレートを通過可能な大きさの場合には燃料集合体内に流入する可能性がある。
【０００４】
このような異物流入による燃料集合体の損傷等を防止するために、従来より、タイプレート本体と、このタイプレート本体の上部に設けられ、燃料棒及び水ロッドを支持する支持部材と、冷却材中の異物を捕捉する捕捉手段とを備えた下部タイプレートがある。このような下部タイプレートの従来技術としては、タイプレート本体と支持部材との間に捕捉手段を挟み込んで全周溶接を行ったもの（例えば、特許文献１参照）、タイプレート本体の側面に挿入孔を穿設し、この挿入孔からタイプレート本体内に捕捉手段を差し込んだ上で、挿入孔と捕捉手段との周縁を溶接したもの（例えば、特許文献２及び特許文献３参照）、及び捕捉手段にフランジ部を設け、このフランジ部をタイプレート本体と支持部材との間に挟み込み、その状態でボルト又はねじ付下部端栓によりタイプレート本体と支持部材とをねじ止め固定したもの（例えば、特許文献４参照）がある。
【０００５】
【特許文献１】特開平９−１６６６７５号公報（第５頁、第６図）
【０００６】
【特許文献２】特開２００１−３３７１８７号公報（第５−６頁、第２図）
【特許文献３】特開２００２−６２３９２号公報（第６頁、第５図）
【特許文献４】特開平７−３０６２８０号公報（第７頁、第９−１０図）
【発明の開示】
【発明が解決しようとする課題】
【０００７】
しかしながら、上記従来技術では以下のような課題が存在する。
すなわち、上記特許文献１乃至３記載の従来技術によれば、タイプレート本体と捕捉手段との固定に溶接を用いているが、原子炉内で使用するにあたり溶接部が溶接熱に基づく残留応力等に起因して亀裂発生の原因となる場合があるため、溶接を用いないほうが好ましい。
【０００８】
一方、上記特許文献４記載の従来技術によれば、溶接を用いずにタイプレート本体と捕捉手段とを固定するので、上記したような溶接部の亀裂発生の恐れをなくすことができる。しかしながら、一般に燃料集合体は下部タイプレートの上方にチャンネルボックスの下端が嵌合して被さる構造となっているので、下部タイプレートのチャンネルボックスとの嵌合部（すなわち下部タイプレートの外周面）は精密な寸法に仕上げる必要があるが、上記従来技術の構造では捕捉手段を装着した際にフランジ部の端部が下部タイプレートの外周面からはみ出たり、タイプレート本体と支持部材とがずれて固定される可能性がないとは言いきれず、チャンネルボックスの装着性の観点で改良の余地があった。
【０００９】
本発明は、上記従来技術の問題に鑑みてなされたものであり、その目的は、冷却材中の異物を捕捉する捕捉手段を溶接を用いることなく組み付け可能であり、且つチャンネルボックスの装着性を向上することができる下部タイプレート及びこれを備えた燃料集合体を提供することにある。
【課題を解決するための手段】
【００１０】
（１）上記目的を達成するために、本発明は、原子炉用燃料集合体の下部タイプレートにおいて、上端に開口部を有するタイプレート本体と、前記開口部に嵌合して設けられ、冷却材中の異物を捕捉する捕捉手段と、前記開口部に嵌合しつつ前記捕捉手段の上部に設けられ、燃料棒の下端を支持する支持部材と、前記タイプレート本体に設けたねじ穴に螺合可能なねじ部を有し、このねじ部が前記ねじ穴に螺合することにより、前記補足手段を前記支持部材と前記タイプレート本体とで挟み込んで固定する固定手段とを備えるものとする。
【００１１】
本発明においては、固定手段のねじ部をタイプレート本体に設けたねじ穴に螺合させることにより、冷却材中の異物を捕捉する捕捉手段を支持部材とタイプレート本体とで挟み込むようにして固定する。これにより、溶接を用いずに捕捉手段をタイプレート本体に組み付けることができるので、原子炉内において溶接部が亀裂発生の原因となるのを防止することができる。
【００１２】
さらに本発明においては、捕捉手段及び支持部材をタイプレート本体の開口部に嵌合して設けるので、タイプレート本体に捕捉手段及び支持部材を装着した際には、捕捉手段及び支持部材は開口部内に収まりその周縁は開口部側壁によって囲まれた状態となる。ここで、一般に燃料集合体は下部タイプレートの上部にチャンネルボックスの下端部が被さるように嵌合する構造となっており、このときのチャンネルボックスの装着性の観点から、下部タイプレートのチャンネルボックスとの嵌合部（すなわち下部タイプレートの外周面）は精密な寸法に仕上げる必要がある。このとき、前述の特許文献４記載の従来技術のような構造では、捕捉手段を装着した際に捕捉手段のフランジ部の端部が下部タイプレートの外周面からはみ出たり、タイプレート本体と支持部材とがずれて固定される可能性がないとは言いきれず、チャンネルボックスの装着性の観点で改良の余地があった。
【００１３】
これに対し、本発明によれば、上記したようにタイプレート本体に捕捉手段及び支持部材を装着した際には捕捉手段及び支持部材は開口部内に収まりその周縁は開口部側壁によって囲まれた状態となるため、チャンネルボックスと下部タイプレートとの嵌合部の隙間はチャンネルボックスの内径と下部タイプレート外周面の外径のみで決定されることとなる。その結果、上記したようなフランジ部のはみ出しや固定時の位置ずれといったチャンネルボックスの装着性の観点における不適合ポテンシャルをなくすことができる。
【００１４】
以上のことから、本発明によれば、冷却材中の異物を捕捉する捕捉手段を溶接を用いることなく組み付け可能であり、且つチャンネルボックスの装着性を向上することができる。
【００１５】
（２）上記（１）において、好ましくは、前記タイプレート本体は前記ねじ穴を有するボスを複数備えており、これら複数のボスのうち少なくとも１つのボスはその他のボスと異なる大きさを有し、且つ、前記支持部材は前記異なる大きさを有するボスと嵌合可能な第１の凹部を有することを特徴とする下部タイプレート。
【００１６】
例えば、前述した特許文献４記載の従来技術のように、捕捉手段にフランジ部を設け、このフランジ部をタイプレート本体と支持部材との間に挟み込んだ状態でボルト又はねじ付下部端栓によりタイプレート本体と支持部材とをねじ止め固定するような構造の場合、タイプレート本体と支持部材とが独立した部材であることから、支持部材がタイプレート本体に対して誤った方向に取り付けられる可能性がないとは言いきれず、万一誤って取り付けられた場合には、燃料集合体内部の燃料棒や水ロッドの配置が所定の向きと異なる向きに組み上げられる恐れがあった。
【００１７】
本発明においては、タイプレート本体に設けた複数のねじ穴用のボスのうち例えば特定の１箇所のボスを大きく形成し、且つ支持部材にその大きく形成したボスと嵌合可能な第１の凹部を設ける。これにより、タイプレート本体に対する支持部材の取り付け方向は物理的に確定されるため、上記のように支持部材の取り付け方向を誤るといった事態を確実に防止することができる。
【００１８】
（３）上記（１）において、また好ましくは、前記開口部に突起を設けると共に、前記支持部材に前記突起と嵌合可能な第２の凹部を設けるものとする。
これにより、上記（２）と同様の効果を得ることができる。
【００１９】
（４）上記（１）乃至（３）のいずれかにおいて、また好ましくは、前記捕捉手段は単一のフィルタ又は積層した複数のフィルタ層であるものとする。
【００２０】
（５）上記目的を達成するために、本発明の燃料集合体は、上記（１）乃至（４）のいずれかの下部タイプレートを備えるものとする。
【発明の効果】
【００２１】
本発明によれば、固定手段のねじ部をタイプレート本体に設けたねじ穴に螺合させることによって、冷却材中の異物を捕捉する捕捉手段を支持部材とタイプレート本体とで挟み込むようにして固定する。これにより、溶接を用いずに捕捉手段をタイプレート本体に組み付けることができる。また、タイプレート本体に捕捉手段及び支持部材を装着した際に、捕捉手段及び支持部材が開口部内に収まるようにするので、フランジ部のはみ出しや固定時の位置ずれといったチャンネルボックスの装着性の観点における不適合ポテンシャルをなくすことができる。したがって、冷却材中の異物を捕捉する捕捉手段を溶接を用いることなく組み付け可能であり、且つチャンネルボックスの装着性を向上することができる。
【発明を実施するための最良の形態】
【００２２】
以下、本発明の下部タイプレート及びこれを備えた燃料集合体の実施の形態を図面を参照しつつ説明する。まず、本発明の第１の実施の形態を図１乃至図４を参照しつつ以下に説明する。
【００２３】
図１は本発明の下部タイプレートの第１の実施の形態を備えた燃料集合体の全体構造を表す側断面図、図２は図１中II−II断面による燃料集合体の横断面図である。
【００２４】
これら図１及び図２において、燃料集合体１は、内部に多数の核燃料ペレット（図示せず）が装填され密封された複数の燃料棒２と、内部に冷却材が流れるように中空構造となっている１本又は複数（本実施の形態では２本）の水ロッド３と、これら燃料棒２及び水ロッド３が正方格子状配列となるように所定の水平方向間隔を保って束ねる複数のスペーサ４と、燃料棒２及び水ロッド３の上・下端をそれぞれ支持する上・下部タイプレート５，６と、これらの外側を覆う角筒状のチャンネルボックス７とを備えている。そして、複数の燃料棒２及び２本の水ロッド３が制御棒８の略軸心を通るＸ−Ｘ面（図２中１点鎖線で示す）に対して対称に配置されている。
【００２５】
図３は下部タイプレート６の全体構造を展開して示す斜視図である。
この図３において、下部タイプレート６は、タイプレート本体１０と、このタイプレート本体１０と独立して設けられ、冷却材中の異物を捕捉するフィルタ（捕捉手段）１１と、タイプレート本体１０と独立して設けられ、燃料棒２及び水ロッド３の下端部を支持する複数のボス１２、これらボス１２を相互に連結するウェブ１３、及びこれらボス１２、ウェブ１３により形成され冷却材を所定の流れ方向に通すための複数の流れ開口１４を有する支持格子（支持部材）１５とを備えている。
【００２６】
タイプレート本体１０は、下端に設けられた冷却材入口１７と、上端に設けられた開口部１８と、これら冷却材入口１７及び開口部１８の間に形成された冷却材流室１９と、タイプレート本体１０の内周面１０ａにおける開口部１８と冷却材流室１９との境界に設けられた段差部２０と、ねじ穴２１ａを有し、タイプレート本体内周面１０ａに開口部１８から冷却材流室１９にかけて段差部２０を跨ぐようにその周方向複数箇所（本実施の形態では８箇所）に設けられたボス２１とを備えている。なお、このボス２１の上面はタイプレート本体１０の上面（すなわち開口部１８の上面）より下側に位置している。
【００２７】
フィルタ１１は多数の流路が格子状に形成されタイプレート本体１０の開口部１８と略同等の大きさを有する板部材であり、その周縁部にはタイプレート本体１０のボス２１に対応する位置（すなわち周方向に８箇所）にボス２１と嵌合するように凹部２５が形成されている。このような構造により、フィルタ１１はタイプレート本体１０の開口部１８に嵌合可能であり、嵌合した際にはタイプレート本体１０の内周面１０ａに設けた段差部２０により下方から支持されるようになっている。
【００２８】
支持格子１５はフィルタ１１と同様にタイプレート本体１０の開口部１８と略同等の大きさを有しており、その下側の周縁部にはタイプレート本体１０のボス２１に対応する位置（すなわち周方向に８箇所）にボス２１と嵌合するように凹部２７が形成されている。このような構造により、支持格子１５はタイプレート本体１０の開口部１８にフィルタ１１を挟むようにその上方から嵌合するようになっており、この嵌合した状態で、燃料棒２のうちのボス２１に対応する位置（すなわち周方向に８箇所）に配置された結合燃料棒２’ （固定手段）の下端に設けたねじ付下部端栓（ねじ部）２８が、支持格子１５のボス１２を貫通してタイプレート本体１０のボス２１のねじ穴２１ａにそれぞれ螺合することにより、支持格子１５及びフィルタ１１がタイプレート本体１０にねじ止め固定され、下部タイプレート６が組み上がるようになっている。
【００２９】
以上のような下部タイプレート６の構成により、燃料集合体１の下方から冷却材入口１７を介して下部タイプレート６内に流入した冷却材は、冷却材流室１９を通ってフィルタ１１を通過しつつ異物を除去され、支持格子１５を介して上方の燃料棒２及び水ロッド３が収容された燃料集合体１の内部に導入される。そして、蒸気が発生し、水・蒸気の混合物が上部タイプレート５を経由して燃料集合体１の上方に流出するようになっている。
【００３０】
次に、上記構成の本発明の下部タイプレート及びこれを備えた燃料集合体の第１の実施の形態の作用を以下に説明する。
本実施の形態においては、結合燃料棒２’の下端に設けたねじ付下部端栓２８をタイプレート本体１０に設けたねじ穴２１ａにそれぞれ螺合させることにより、冷却材中の異物を捕捉するフィルタ１１を支持格子１５とタイプレート本体１０とで挟み込むようにして固定する。これにより、例えば前述した従来技術（特許文献１乃至３記載の従来技術）のような構造と異なり、溶接を用いずにフィルタ１１をタイプレート本体１０に組み付けることができるので、原子炉内で溶接部が溶接熱に基づく残留応力等に起因して亀裂発生の原因となるのを防止することができる。
【００３１】
さらに本実施の形態においては、フィルタ１１及び支持格子１５をタイプレート本体１０の開口部１８に嵌合させるので、タイプレート本体１０にフィルタ１１及び支持格子１５を装着した際には、フィルタ１１及び支持格子１５は開口部１８内に収まりその周縁は開口部１８の側壁１８ａによって囲まれた状態となる。ここで、一般に燃料集合体１は下部タイプレート６の上部にチャンネルボックス７の下端部が被さるように嵌合する構造となっており、このときのチャンネルボックス７の装着性の観点から、下部タイプレート６のチャンネルボックス７との嵌合部（すなわちタイプレート本体１０の外周面１０ｂ）は精密な寸法に仕上げる必要がある。このとき、例えば前述の特許文献４記載の従来技術のような構造においては、フィルタ１１を装着した際にそのフランジ部の端部（周縁部）がタイプレート本体１０の外周面１０ｂ（すなわちタイプレート本体１０の外径）からはみ出たり、タイプレート本体１０と支持格子１５とが例えば水平方向にずれて固定される可能性がないとは言いきれない。このような場合には、タイプレート本体外周面１０ｂの寸法精度が低下し、チャンネルボックス７の装着性が低下する恐れがあった。
【００３２】
これに対し、本実施の形態によれば、上記したようにタイプレート本体１０にフィルタ１１及び支持格子１５を装着した際にはフィルタ１１及び支持格子１５は開口部１８内に収まりその周縁は開口部側壁１８ａによって囲まれた状態となるため、チャンネルボックス７と下部タイプレート６との嵌合部の隙間はチャンネルボックス７の内径とタイプレート本体１０の外周面１０ｂの外径のみで決定されることとなる。その結果、上記したようなフランジ部のはみ出しや固定時の位置ずれといったチャンネルボックス７の装着性の観点における不適合ポテンシャルをなくすことができる。
【００３３】
以上のことから、本実施の形態の下部タイプレート６によれば、溶接を用いることなく冷却材中の異物捕捉用のフィルタ１１を組み付け可能であり、且つチャンネルボックス７の装着性を向上することができる。
【００３４】
なお、上記本発明の第１の実施の形態ではタイプレート本体１０に設けた８つのボス２１を全て同様の形状としたが、そのうちの１つ（又は複数でもよい）の寸法（外径）をその他と異なるように形成してもよい。図４はその一例を示す下部タイプレート６’の展開斜視図である。
【００３５】
この図４では、タイプレート本体１０の内周面１０ａの周方向８箇所に設けたボス２１のうちの１つを、その他のボス２１よりも外径を大きく形成したボス２１’に置き換えた構成としている。また、フィルター１１及び支持格子１５のボス２１’と対応する位置にはボス２１’と嵌合するように比較的大きな凹部２５’及び凹部（第１の凹部）２７’がそれぞれ形成されている。なお、ねじ穴２１ａについては前述の一実施の形態と同様の構造（設置位置及び穴径共に同じ）となっている。
【００３６】
以上のような構造である本変形例により得られる作用を以下に説明する。
すなわち、一般に原子炉においては、燃料集合体１の外側のバイパス領域を流れる冷却材の一部は、下部タイプレート６の内部に冷却材入口１７を介して流入した冷却材の一部が下部タイプレート６の下方に設けられた流出孔３０（図３及び図４参照）から流出することによって供給されるようになっており、この流出孔３０は、通常、タイプレート本体１０の制御棒８側と反対側の面（図２中Ａ面及びＢ面）に穿設されるようになっている。したがって、本発明のようにタイプレート本体１０と支持格子１５とが独立した構造の下部タイプレートの場合には、流出孔３０が図２中Ａ面及びＢ面を向くように下部タイプレート６を配置した上で、燃料棒２及び水ロッド３が図２に示す配列となるように支持格子１５をタイプレート本体１０に対して所定の向きに取り付ける必要がある。
【００３７】
ここで、例えば前述した特許文献４記載の従来技術のように、フィルタ１１のフランジ部をタイプレート本体１０と支持格子１５とで単に挟んで固定する構造の場合、支持格子１５がタイプレート本体１０に対して誤った方向に固定される可能性がないとは言いきれず、万一誤って取り付けられた場合には燃料集合体１の内部の燃料棒２や水ロッド３が所定の向きと異なる向きに組み上げられる恐れがあった。
【００３８】
これに対し、本変形例においては、上述したように他よりも大きく形成したボス２１’を開口部１８の周方向１箇所に設け、フィルタ１１及び支持格子１５のボス２１’と対応する位置にボス２１’と嵌合可能な凹部２５’，２７’をそれぞれ設けることにより、タイプレート本体１０に対するフィルタ１１及び支持格子１５の取り付け方向が物理的に確定されるので、上記従来技術のように支持格子１５の取り付け方向を誤るといった事態を確実に防止することができる。
【００３９】
なお、上記変形例では１箇所のボス２１を大きくする構成としたが、これに限らず、例えば特定の箇所のボス２１を小さくする構成としてもよい。また、例えば特定の面の２箇所のボス２１を両方大きくする等、複数箇所のボス２１の大きさを変更するようにしてもよいし、また例えばボス２１の平面形状を四角形にする等、形状を変更するようにしてもよいし、また例えば特定の面のボス２１の設置数を変更（例えば１個とする）してもよい。すなわち、フィルタ１１及び支持格子１５の取り付け方向を確定できるような構造であればよい。また、ボス２１とは別に、例えばタイプレート本体１０の開口１８内に突起を設け、フィルタ１１及び支持格子１５の上記突起に対応する位置にその突起と嵌合可能な凹部を形成しておき、それにより取り付け方向を確定するようにしてもよい。
【００４０】
次に、本発明の下部タイプレート及びこれを備えた燃料集合体の第２の実施の形態を図５及び図６を用いて以下に説明する。図５は本発明の下部タイプレートの第２の実施の形態の全体構造を概略的に表す側断面図、図６はこの下部タイプレートを備えた燃料集合体の全体構造を表す側断面図である。
【００４１】
これら図５及び図６において、前述の第１の実施の形態と異なる点は、下部タイプレート６’のタイプレート本体１０内にフィルタ構造の異なる第１フィルタ層（捕捉手段）３１と第２フィルタ層（捕捉手段）３２とを積層させて組み込んだことである。これら第１及び第２のフィルタ層３１，３２の固定方法は前述の第１の実施の形態と同様であり、結合燃料棒２’の下端に設けたねじ付下部端栓２８が支持格子１５のボス１２を貫通してタイプレート本体１０に設けたボス２１のねじ穴２１ａにそれぞれ螺合することにより、支持格子１５及び第１及び第２のフィルタ層３１，３２がタイプレート本体１０にねじ止め固定され、下部タイプレート６’が組み上がるようになっている。
【００４２】
以上のような構成の本実施の形態によれば、フィルタ構造の異なる第１フィルタ層３１と第２フィルタ層３２とを積層させた構造とすることにより、前述の第１の実施の形態と同様の効果を得ることができる上にさらに異物分離性能を向上することができる。その結果、例えば燃料棒のフレッティング摩耗に起因した損傷に対する予防保全効果を得ることができる等、燃料の信頼性を向上することができ、ひいては原子力プラントの稼働率向上にも寄与することができる。
【００４３】
なお、上記本発明の第２の実施の形態においてはフィルタ層が２層である構成としたが、これに限らず、冷却材の圧損特性上許容される範囲内でさらに多数のフィルタ層を積層する構成としてもよい。
【図面の簡単な説明】
【００４４】
【図１】本発明の下部タイプレートの第１の実施の形態を備えた燃料集合体の全体構造を表す側断面図である。
【図２】図１中II−II断面による燃料集合体の横断面図である。
【図３】本発明の下部タイプレートの第１の実施の形態の全体構造を展開して示す斜視図である。
【図４】本発明の下部タイプレートの第１の実施の形態の変形例の全体構造を展開して示す斜視図である。
【図５】本発明の下部タイプレートの第２の実施の形態の全体構造を概略的に表す側断面図である。
【図６】本発明の下部タイプレートの第２の実施の形態を備えた燃料集合体の全体構造を表す側断面図である。
【符号の説明】
【００４５】
１          燃料集合体
２          燃料棒
２’        結合燃料棒（固定手段）
６          下部タイプレート
６’        下部タイプレート
１０        タイプレート本体
１１        フィルタ（捕捉手段）
１５        支持格子（支持部材）
１８        開口部
２１        ボス
２１ａ      ねじ穴
２１’      ボス
２７’      凹部（第１の凹部）
２８        ねじ付下部端栓（ねじ部）
３１        第１フィルタ層（捕捉手段；フィルタ）
３２        第２フィルタ層（捕捉手段；フィルタ）
【図１】
2006184052.tif 000003
【図２】
2006184052.tif 000004
【図３】
2006184052.tif 000005
【図４】
2006184052.tif 000006
【図５】
2006184052.tif 000007
【図６】
2006184052.tif 000008